(57)【要約】【課題】平型導体の係止が完了したか否かを適確に検出する。【解決手段】平型導体用コネクタ１０では、ハウジング１４は、ＦＰＣなどの平型導体を挿抜可能な収容室１６を有している。このハウジング１４に変位可能に支持されたロック部材５８は、収容室１６に挿入された平型導体を係止した状態で配置されるロック位置と、当該係止を解除する際に配置されるアンロック位置と、平型導体が収容室１６に挿入されていない状態で配置される非挿入位置とに変位可能とされており、付勢部材によって非挿入位置へと付勢されている。この平型導体用コネクタ１０では、上記の非挿入位置と上記のロック位置とが異なっているので、ロック部材５８がロック位置に位置するか否かを検出（確認）することで、ロック部５８材に対するＦＰＣ１２の係止が完了したか否かを適確に検出することができる。【選択図】図１
2020161453.tif 000002
【特許請求の範囲】
【請求項１】
平型導体を挿抜可能な収容室を有するハウジングと、
前記収容室に挿入された前記平型導体を係止した状態で配置されるロック位置と、前記係止を解除する際に配置されるアンロック位置と、前記平型導体が前記収容室に挿入されていない状態で配置される非挿入位置とに変位可能に前記ハウジングに支持されたロック部材と、
前記ロック部材を前記非挿入位置へ付勢する付勢部と、
を備え、
前記ロック部材の前記非挿入位置と前記ロック位置とが異なる平型導体用コネクタ。
【請求項２】
前記ロック部材は、前記平型導体の前記収容室への挿入途中で前記平型導体と摺動することにより前記非挿入位置から前記アンロック位置側へ変位されると共に、前記平型導体の前記収容室への挿入が完了した際に前記付勢部により前記ロック位置へと変位される請求項１記載の平型導体用コネクタ。
【請求項３】
前記ロック部材が前記平型導体との摺動によって変位される挿入途中位置と、前記ロック位置及び前記アンロック位置とが異なる請求項２に記載の平型導体用コネクタ。
【請求項４】
前記非挿入位置から前記挿入途中位置への前記ロック部材の変位量は、前記非挿入位置から前記ロック位置への前記ロック部材の変位量よりも大きく設定されている請求項３記載の平型導体用コネクタ。
【請求項５】
前記ロック部材が前記非挿入位置から前記挿入途中位置へ変位する方向と、前記ロック部材が前記挿入途中位置から前記ロック位置へ変位する方向とが異なる請求項３又は請求項４に記載の平型導体用コネクタ。
【請求項６】
前記付勢部は、前記ロック部材が前記非挿入位置から前記挿入途中位置へと変位する際に弾性変形し、前記ロック部材が前記挿入途中位置から前記ロック位置へと変位する際に弾性復帰する請求項３〜請求項５の何れか１項に記載の平型導体用コネクタ。
【請求項７】
前記収容室に挿入された前記平型導体に対する幅方向の外方側に、前記ハウジングに対する前記ロック部材の位置の違いを表示する表示部が設けられている請求項１〜請求項６の何れか１項に記載の平型導体用コネクタ。
【請求項８】
前記ハウジングは、基板上に載置されるものであり、
前記ロック部材は、少なくとも前記基板の平面に沿った方向に変位する請求項１〜請求項７の何れか１項に記載の平型導体用コネクタ。
【請求項９】
前記ハウジングは、前記収容室に挿入された前記平型導体の厚み方向の一側から前記ロック部材に対して対向する対向壁を有しており、
前記ロック部材が前記非挿入位置に位置する状態と、前記ロック部材が前記ロック位置に位置する状態とでは、前記平型導体の厚み方向の他側から見た場合の前記対向壁の露出量が異なる請求項１〜請求項８の何れか１項に記載の平型導体用コネクタ。
【発明の詳細な説明】
【技術分野】
【０００１】
本発明は、ＦＰＣ（Flexible Printed Circuit）、ＦＦＣ（Flexible Flat Cable）、プリント基板などの平型導体が接続される平型導体用コネクタに関する。
【背景技術】
【０００２】
下記特許文献１には、ＦＰＣやＦＦＣといった平型導体が接続されるコネクタが開示されている。このコネクタでは、ロック状態とロック解除状態とをとり得る弾性変形可能なロック金具がハウジングに取り付けられている。上記のロック状態では、ロック金具に形成されたロック突起に平型導体の被係止部が係止されることで、コネクタからの平型導体の抜去が規制される。また、このコネクタでは、ロック金具の一部が押圧操作されてロック金具が弾性変形されることで、被係止部に対するロック突起の係止が解除されてロック解除状態となり、ハウジングからの平型導体の抜去が可能となる。さらに、このコネクタでは、例えばハウジングへの平型導体の挿入が不十分な状態では、被係止部がロック突起に完全には係止されず、ロック金具が弾性変形したままとなる。このため、ロック金具を観察することにより、上記の不完全な係止状態を検出可能とされている。
【先行技術文献】
【特許文献】
【０００３】
【特許文献１】特開２０１２−５９５３５号公報
【発明の概要】
【発明が解決しようとする課題】
【０００４】
しかしながら、上記の先行技術では、平型導体がロック金具を弾性変形させ始めるのに必要な深さまで挿入されていなかったり、そもそも平型導体がコネクタの挿入間口に挿入できていなかったり、平型導体を挿入し忘れているような場合では、上述した不完全な係止状態を検出することができない。すなわち、上記の先行技術では、ロック金具が弾性変形している状態を「係止未完了状態」として検出しているため、そもそもロック金具が弾性変形するに至っていない状態を「係止完了状態」として検出してしまうおそれがあった。この不具合は、画像検査装置を用いてロック金具の状態を観察することにより係止完了状態を検出する場合に、特に顕著になる。
【０００５】
本発明は上記事実を考慮し、平型導体の係止が完了したか否かを適確に検出することができる平型導体用コネクタを得ることを目的とする。
【課題を解決するための手段】
【０００６】
請求項１に記載の発明に係る平型導体用コネクタは、平型導体を挿抜可能な収容室を有するハウジングと、前記収容室に挿入された前記平型導体を係止した状態で配置されるロック位置と、前記係止を解除する際に配置されるアンロック位置と、前記平型導体が前記収容室に挿入されていない状態で配置される非挿入位置とに変位可能に前記ハウジングに支持されたロック部材と、前記ロック部材を前記非挿入位置へ付勢する付勢部と、を備え、前記ロック部材の前記非挿入位置と前記ロック位置とが異なる。
【０００７】
請求項１に記載の平型導体用コネクタでは、平型導体を挿抜可能な収容室を有するハウジングに、ロック部材が支持されている。このロック部材は、収容室に挿入された平型導体を係止した状態で配置されるロック位置と、当該係止を解除する際に配置されるアンロック位置と、平型導体が収容室に挿入されていない状態で配置される非挿入位置とに変位可能とされており、付勢部によって非挿入位置へと付勢されている。
【０００８】
この平型導体用コネクタでは、上記の非挿入位置とロック位置とが異なっている。つまり、平型導体が収容室に挿入されていない状態と、収容室に挿入された平型導体がロック部材に係止された状態とで、ハウジングに対するロック部材の位置が異なっている。このため、ロック部材がロック位置に位置するか否かを検出（確認）することで、ロック部材に対する平型導体の係止が完了したか否かを適確に検出することができる。
【０００９】
請求項２に記載の発明に係る平型導体用コネクタは、請求項１において、前記ロック部材は、前記平型導体の前記収容室への挿入途中で前記平型導体と摺動することにより前記非挿入位置から前記アンロック位置側へ変位されると共に、前記平型導体の前記収容室への挿入が完了した際に前記付勢部により前記ロック位置へと変位される。
【００１０】
請求項２に記載の平型導体用コネクタによれば、特殊な操作を必要とすることなく、平型導体をハウジングの収容室に挿入するだけで、平型導体がロック部材と摺動し、ロック部材が非挿入位置からアンロック位置側へ変位される。そして、平型導体の収容室への挿入が完了すると、ロック部材が付勢部によりロック位置へと変位される。このロック位置へのロック部材の変位を確認することで、ロック部材に対する平型導体の係止が完了したことを適確に検出することができる。
【００１１】
請求項３に記載の発明に係る平型導体用コネクタは、請求項２において、前記ロック部材が前記平型導体との摺動によって変位される挿入途中位置と、前記ロック位置及び前記アンロック位置とが異なる。
【００１２】
請求項３に記載の平型導体用コネクタによれば、平型導体がハウジングの収容室に挿入されると、平型導体がロック部材と摺動し、ロック部材が非挿入位置から挿入途中位置へと変位される。この挿入途中位置は、ロック位置及びアンロック位置とは異なっている。つまり、上記の非挿入位置、挿入途中位置、ロック位置及びアンロック位置は、互いに異なる位置であるため、ハウジングに対するロック部材の位置を観察することで、平型導体がどのような状態にあるのかを適確に把握することができる。しかも、ロック部材が挿入途中位置に位置することを検出することにより、平型導体の係止が未完了の状態であることを把握することができる。
【００１３】
請求項４に記載の発明に係る平型導体用コネクタは、請求項３において、前記非挿入位置から前記挿入途中位置への前記ロック部材の変位量は、前記非挿入位置から前記ロック位置への前記ロック部材の変位量よりも大きく設定されている。
【００１４】
請求項４に記載の平型導体用コネクタでは、上記のように構成されているので、ロック部材が挿入途中位置に変位している状態（すなわちロック部材に対する平型導体の係止が未完了の状態）を確認し易くなる。その結果、ロック部材がロック位置に変位した状態（すなわちロック部材に対する平型導体の係止が完了した状態）と、上記の係止未完了状態とを誤認し難くなる。つまり、上記の係止未完了状態と係止完了状態とでは、何れも平型導体が収容室にある程度挿入されているため、これらの状態を誤認し易いが、上記のようにロック部材の挿入途中位置への変位量が大きく設定されることにより、上記各状態を識別し易くなる。
【００１５】
請求項５に記載の発明に係る平型導体用コネクタは、請求項３又は請求項４において、前記ロック部材が前記非挿入位置から前記挿入途中位置へ変位する方向と、前記ロック部材が前記挿入途中位置から前記ロック位置へ変位する方向とが異なる。
【００１６】
請求項５に記載の平型導体用コネクタでは、ハウジングに対するロック部材の位置だけでなく、ハウジングに対するロック部材の変位方向を確認することによっても、平型導体がどのような状態にあるのかを把握することができるので、ロック部材に対する平型導体の係止が完了したか否かの検出が一層容易になる。
【００１７】
請求項６に記載の発明に係る平型導体用コネクタは、請求項３〜請求項５の何れか１項において、前記付勢部は、前記ロック部材が前記非挿入位置から前記挿入途中位置へと変位する際に弾性変形し、前記ロック部材が前記挿入途中位置から前記ロック位置へと変位する際に弾性復帰する。
【００１８】
請求項６に記載の平型導体用コネクタによれば、ロック部材が非挿入位置から挿入途中位置へと変位する際に弾性変形する付勢部は、ロック部材が挿入途中位置からロック位置へと変位する際に弾性復帰する。この弾性復帰によりクリック感が生じるので、当該クリック感によっても平型導体の係止完了を確認（検出）することができる。その結果、係止完了の検出がより一層容易になる。
【００１９】
請求項７に記載の発明に係る平型導体用コネクタは、請求項１〜請求項６の何れか１項において、前記収容室に挿入された前記平型導体に対する幅方向の外方側に、前記ハウジングに対する前記ロック部材の位置の違いを表示する表示部が設けられている。
【００２０】
請求項７に記載の平型導体用コネクタによれば、ハウジングの収容室に挿入された平型導体がハウジングの一部を覆うように配置される場合でも、当該平型導体に対する幅方向の外方側に設けられた表示部に、ハウジングに対するロック部材の位置の違いが表示されるので、ロック部材の位置の確認が容易になる。
【００２１】
請求項８に記載の発明に係る平型導体用コネクタは、請求項１〜請求項７の何れか１項において、前記ハウジングは、基板上に載置されるものであり、前記ロック部材は、少なくとも前記基板の平面に沿った方向に変位する。
【００２２】
請求項８に記載の平型導体用コネクタによれば、ロック部材は、基板上に載置されるハウジングに対して、少なくとも基板の平面に沿った方向（基板の厚み方向と交差する方向）に変位する。これにより、ロック部材の変位を基板の厚み方向から確認し易くなる。つまり、例えばロック部材が基板の厚み方向のみに変位する構成において、ロック部材の変位を基板の厚み方向から確認する場合、深視力が必要となるため、ロック部材の変位の確認が困難になるが、本発明では上記のような深視力を有しなくてもロック部材の変位を確認することができる。
【００２３】
請求項９に記載の発明に係る平型導体用コネクタは、請求項１〜請求項８の何れか１項において、前記ハウジングは、前記収容室に挿入された前記平型導体の厚み方向の一側から前記ロック部材に対して対向する対向壁を有しており、前記ロック部材が前記非挿入位置に位置する状態と、前記ロック部材が前記ロック位置に位置する状態とでは、前記平型導体の厚み方向の他側から見た場合の前記対向壁の露出量が異なる。
【００２４】
請求項９に記載の平型導体用コネクタによれば、ハウジングの対向壁の露出量を平型導体の厚み方向の他側から確認することによっても、ハウジングに対するロック部材の位置を確認することができるので、ロック部材に対する平型導体の係止状態を検査する際の自由度が向上する。
【発明の効果】
【００２５】
以上説明したように、本発明に係る平型導体用コネクタによれば、平型導体の係止が完了したか否かを適確に検出することができる。
【図面の簡単な説明】
【００２６】
【図１】本発明の実施形態に係る平型導体用コネクタを示す斜視図である。
【図２】同平型導体用コネクタを示す斜視図である。
【図３】同平型導体用コネクタを示す平面図である。
【図４】同平型導体用コネクタを示す下面図である。
【図５】同平型導体用コネクタを示す分解斜視図である。
【図６】同平型導体用コネクタのハウジングを示す斜視図である。
【図７】同ハウジングを示す斜視図である。
【図８】同平型導体用コネクタのロック部材を示す斜視図である。
【図９】同ロック部材を示す斜視図である。
【図１０】平型導体の先端側部分を示す斜視図である。
【図１１】同平型導体用コネクタを図３のＣＳ１−ＣＳ１線に沿って切断した状態で示す斜視図である。
【図１２】同平型導体用コネクタを図３のＣＳ２−ＣＳ２線に沿って切断した状態で示す斜視図である。
【図１３Ａ】図３のＣＳ１−ＣＳ１線に沿った切断面を示す断面図であり、ロック部材が非挿入位置に位置する状態を示す図である。
【図１３Ｂ】ロック部材が挿入途中位置に位置する状態を示す図１３Ａに対応した断面図である。
【図１３Ｃ】ロック部材がロック位置に位置する状態を示す図１３Ａ及び図１３Ｂに対応した断面図である。
【図１３Ｄ】ロック部材がアンロック位置に位置する状態を示す図１３Ａ−図１３Ｃに対応した断面図である。
【図１４Ａ】図３のＣＳ２−ＣＳ２線に沿った切断面を示す断面図であり、ロック部材が非挿入位置に位置する状態を示す図である。
【図１４Ｂ】ロック部材が挿入途中位置に位置する状態を示す図１４Ａに対応した断面図である。
【図１４Ｃ】ロック部材がロック位置に位置する状態を示す図１４Ａ及び図１４Ｂに対応した断面図である。
【図１４Ｄ】ロック部材がアンロック位置に位置する状態を示す図１４Ａ−図１４Ｃに対応した断面図である。
【図１５Ａ】図３のＣＳ３−ＣＳ３線に沿った切断面を示す断面図であり、ロック部材が非挿入位置に位置する状態を示す図である。
【図１５Ｂ】ロック部材が挿入途中位置に位置する状態を示す図１５Ａに対応した断面図である。
【図１５Ｃ】ロック部材がロック位置に位置する状態を示す図１５Ａ及び図１５Ｂに対応した断面図である。
【図１５Ｄ】ロック部材がアンロック位置に位置する状態を示す図１５Ａ−図１５Ｃに対応した断面図である。
【図１６Ａ】図３のＣＳ４−ＣＳ４線に沿った切断面を示す断面図であり、ロック部材が非挿入位置に位置する状態を示す図である。
【図１６Ｂ】ロック部材が挿入途中位置に位置する状態を示す図１６Ａに対応した断面図である。
【図１６Ｃ】ロック部材がロック位置に位置する状態を示す図１６Ａ及び図１６Ｂに対応した断面図である。
【図１６Ｄ】ロック部材がアンロック位置に位置する状態を示す図１６Ａ−図１６Ｃに対応した断面図である。
【図１７Ａ】平型導体に抜去方向を向く力が加えられた状態を示す図１３Ａ−図１３Ｄに対応した断面図である。
【図１７Ｂ】平型導体に抜去方向を向く力が加えられた状態を示す図１６Ａ−図１６Ｄに対応した断面図である。
【図１８Ａ】ロック部材が非挿入位置に位置する状態を示す平面図である。
【図１８Ｂ】ロック部材が挿入途中位置に位置する状態を示す図１８Ａに対応した平面図である。
【図１８Ｃ】ロック部材がロック位置に位置する状態を示す図１８Ａ及び図１８Ｂに対応した平面図である。
【図１８Ｄ】ロック部材がアンロック位置に位置する状態を示す図１８Ａ−図１８Ｃに対応した平面図である。
【図１９Ａ】ロック部材が非挿入位置に位置する状態を示す背面図である。
【図１９Ｂ】ロック部材が挿入途中位置に位置する状態を示す図１９Ａに対応した背面図である。
【図１９Ｃ】ロック部材がロック位置に位置する状態を示す図１９Ａ及び図１９Ｂに対応した背面図である。
【図１９Ｄ】ロック部材がアンロック位置に位置する状態を示す図１９Ａ−図１９Ｃに対応した背面図である。
【図２０Ａ】ロック部材が非挿入位置に位置する状態を示す斜視図である。
【図２０Ｂ】ロック部材が挿入途中位置に位置する状態を示す図２０Ａに対応した斜視図である。
【図２０Ｃ】ロック部材がロック位置に位置する状態を示す図２０Ａ及び図２０Ｂに対応した斜視図である。
【図２０Ｄ】ロック部材がアンロック位置に位置する状態を示す図２０Ａ−図２０Ｃに対応した斜視図である。
【図２１】ハウジングの収容室に挿入された平型導体によってハウジング及びロック部材の一部が覆われた状態を示す図１８Ｃに対応した平面図である。
【図２２】図２１に示される構成を図２１の矢印Ｆ２２の方向から見た側面図である。
【図２３】ロック部材がアンロック位置に位置する状態を示す斜視図である。
【図２４】図２３に示される構成の一部を図２３のＦ２４−Ｆ２４線に沿って切断した状態で示す斜視図である。
【図２５】図２３に示される構成の一部を図２３のＦ２５−Ｆ２５線に沿って切断した状態で示す斜視図である。
【図２６】本発明の実施形態に係る平型導体用コネクタの変形例を示す斜視図である。
【図２７】本発明の実施形態に係る平型導体用コネクタの変形例を示す斜視図である。
【発明を実施するための形態】
【００２７】
以下、図１〜図２７を用いて、本発明の一実施形態に係る平型導体用コネクタ１０について説明する。なお、説明の便宜上、各図中に適宜記す矢印ＦＲを平型導体用コネクタ１０の前方とし、矢印ＲＨを平型導体用コネクタ１０の右方とし、矢印ＵＰを平型導体用コネクタ１０の上方とする。以下、単に前後、左右、上下の方向を用いて説明する場合、平型導体用コネクタ１０に対する方向を示すものとする。これらの方向は、平型導体用コネクタ１０の使用状態での方向とは無関係である。また、各図においては、図面を見易くする関係から、一部の符号を省略している場合がある。
【００２８】
（構成）
図１〜図２５に示されるように、本実施形態に係る平型導体用コネクタ１０（以下、単に「コネクタ１０」と称する）は、平型導体としてのＦＰＣ１２（図１０参照）を挿抜可能な収容室１６を有するハウジング１４と、収容室１６からのＦＰＣ１２の抜去を規制するロック部材５８と、ロック部材５８を付勢する付勢部としての一対の付勢部材５６と、ハウジング１４に取り付けられた複数の端子（コンタクト）５４と、を備えている。このコネクタ１０は、基板１１（図１３Ａ以外では図示省略）に実装され、平型導体であるＦＰＣ１２（図１０、図１３Ｂ、図１３Ｃ参照）と電気的に接続されるものである。このＦＰＣ１２の先端部の幅方向両端部には、それぞれ係止口としての切欠き１３が形成されている。これらの係止口は孔であってもよい。
【００２９】
なお、各図中に適宜示される矢印Ｚは、ハウジング１４の収容室１６に対するＦＰＣ１２の挿抜方向であり、矢印Ｘは、ＦＰＣ１２の厚み方向であり、矢印Ｙは、挿抜方向Ｚ及び厚み方向Ｘと直交する直交方向としての端子配列方向である。厚み方向Ｘは、コネクタ１０の前後方向と一致しており、端子配列方向Ｙは、コネクタ１０の左右方向と一致しており、挿抜方向Ｚは、コネクタ１０の上下方向と一致している。以下の説明では、厚み方向Ｘを「前後方向」と称し、端子配列方向Ｙを「左右方向」と称し、挿抜方向Ｚを「上下方向」と称する場合がある。このコネクタ１０は、左右方向に対称な形状に形成されている。
【００３０】
（ハウジングについて）
図１〜図７、図１１〜図２５に示されるように、ハウジング１４は、左右方向を長手とする長尺な直方体状に形成されており、上下方向が基板１１の厚み方向に沿う姿勢で基板１１上に載置される構成になっている。このハウジング１４は、例えば合成樹脂等の絶縁性材料によって製造されたものである。ハウジング１４の左右方向中間部における略前半部には、ハウジング１４を上下方向に貫通した収容室１６が形成されている。収容室１６は、上下方向視で左右方向を長手とする長尺状をなしている。この収容室１６には、上方側からＦＰＣ１２が挿入される構成になっている。収容室１６の前壁１８の後面には、上下方向に延びる複数（多数）の端子用溝２６が左右方向に並んで形成されている。また、収容室１６の後壁２０の前面における左右両端側には、上下方向に延びる左右一対の端子用溝２８（図３参照）が形成されている。上記の後壁２０は、本発明における「対向壁」に相当する。
【００３１】
ハウジング１４の左右方向中間部における略後半部と、ハウジング１４の左右方向両端部とには、ロック部材５８を配置するための凹部３０が形成されている。この凹部３０は、主にハウジング１４の略上半部に形成されており、上下方向視で前方側が開放された略コ字状（略Ｕ字状）をなしている。この凹部３０は、収容室１６の略上半部の後方側に位置する後方凹部３０Ａと、後方凹部３０Ａの左右方向両端部から前方すなわち収容室１６の左右両側へ延びる左右一対の側方凹部３０Ｂと、左右の側方凹部３０Ｂよりも左右方向中央側で後方凹部３０Ａの左右両端側から下方側へ延びる下方凹部３０Ｃとを有している。
【００３２】
このハウジング１４において、後方凹部３０Ａの下方には、収容室１６よりも後方側に張り出した張出部３２が設けられている。この張出部３２の上部と収容室１６の後壁２０との間には、後壁２０を補強する複数の補強リブ３４が架け渡されている。複数の補強リブ３４は、左右方向に並んで配置されている。
【００３３】
ハウジング１４の左右両端部には、側方凹部３０Ｂから下方へ延びる付勢部材収容孔３６が形成されている。これらの付勢部材収容孔３６は、側方凹部３０Ｂに連通されると共に、ハウジング１４の下面で開口している。また、ハウジングの左右両端部には、側方凹部３０Ｂを介して収容室１６と対向する部位に、下方側かつ前方側を向いた第１傾斜面３８が形成されている。各第１傾斜面３８は、後方側へ向かって下り勾配に傾斜している。さらに、ハウジング１４の左右両端部において、各付勢部材収容孔３６と収容室１６の左壁２２及び右壁２４との間には、上方側かつ後方側を向いた第２傾斜面４０が形成されている。各第２傾斜面４０は、後方側へ向かって下り勾配に傾斜している。
【００３４】
また、このハウジング１４において、下方凹部３０Ｃの下面を構成する部分には、上方側かつ後方側を向いた第３傾斜面４２が形成されている。各第３傾斜面４２は、後方側へ向かって下り勾配に傾斜している。また、このハウジング１４において、張出部３２の左右両端部には、下方側かつ前方側を向いた第４傾斜面４４が形成されている。各第４傾斜面４４は、後方側へ向かって下り勾配に傾斜している。
【００３５】
第１傾斜面３８と第２傾斜面４０とは、互いに反対側を向いて対をなしており、第３傾斜面４２と第４傾斜面４４とは、互いに反対側を向いて対をなしている。つまり、ハウジング１４における左右方向の両側には、互いに反対側を向いて対をなす第１傾斜面３８及び第２傾斜面４０と、互いに反対側いて対をなす第３傾斜面４２及び第４傾斜面４４とが設けられている。
【００３６】
換言すれば、ハウジング１４における左右方向の両側にはそれぞれ、上下方向（挿抜方向Ｚ）に互いに離れて配置された一対の二組の傾斜面（第１傾斜面３８及び第２傾斜面４０と、第３傾斜面４２及び第４傾斜面）が設けられている。これらの第１傾斜面３８、第２傾斜面４０、第３傾斜面４２及び第４傾斜面４４（以下、単に「傾斜面３８、４０、４２、４４」と称する場合がある）は、前後方向（厚み方向Ｘ）に対して傾斜しており、ロック部材５８に設けられた後述する第１摺動面６４、第２摺動面６６、第３摺動面７８及び第４摺動面８０（以下、単に「摺動面６４、６６、７８、８０」と称する場合がある）に対応している。
【００３７】
このハウジング１４には、ロック部材５８をハウジング１４に取り付ける際に、第１摺動面６４を第１傾斜面３８に案内するための上側ガイド面４６と、第４摺動面８０を第４傾斜面４４に案内するための下側ガイド面４８とが形成されている。さらに、このハウジング１４には、収容室１６の左右方向両端部を後方凹部３０Ａ及び下方凹部３０Ｃに連通させた左右一対の開口部５０が形成されている。左右の開口部５０は、上下方向を長手とする長尺状をなしている。また、このハウジング１４では、収容室１６の前壁１８において、左右の開口部５０の下部と対向する部位が、それぞれ受圧部５２（図１３Ａ〜図１３Ｄ参照）とされている。
【００３８】
（端子について）
複数の端子５４は、例えば導電性を有する金属板が所定の形状に打ち抜かれて、略Ｌ字状に曲げ加工されたものである。これら複数の端子５４は、ハウジング１４に形成された複数の端子用溝２６、２８に嵌合されて、ハウジング１４に取り付けられており、ハウジング１４の収容室１６に挿入されたＦＰＣ１２に対して電気的に接続される構成になっている。なお、本実施形態では、収容室１６の後壁２０に形成された左右一対の端子用溝２８（図３及び図４参照）に嵌合される左右一対の端子５４Ａ（図５参照）は、グラウンド端子とされている。
【００３９】
複数の端子５４の下端部は、コネクタ１０が実装される基板１１（図１３Ａ以外では図示省略）の表面に沿うように屈曲されており、半田付け等の手段で基板１１に固定（電気的に接続）される構成になっている。これら複数の端子５４が基板に固定された状態では、コネクタ１０の上下方向と基板の厚み方向とが一致する構成になっている。
【００４０】
（付勢部材について）
一対の付勢部材５６（図５、図１２、図１４Ａ〜図１４Ｄ参照）は、例えばバネ材からなる金属板が所定の形状に打ち抜かれて、略Ｎ字状に曲げ加工されたものであり、ハウジング１４の左右の付勢部材収容孔３６内に収容されている。各付勢部材５６は、上下方向に延在し、付勢部材収容孔３６に嵌合されてハウジング１４に固定されたハウジング固定部５６Ａと、ハウジング固定部５６Ａの下端部から後方側へ延出された基板固定部５６Ｂと、ハウジング固定部５６Ａの上端部から下方側かつ前方側へ延出された第１弾性部５６Ｃと、第１弾性部５６Ｃの下端部から上方側へ延出された第２弾性部５６Ｄと、第２弾性部５６Ｄの上端部から上方側へ延出された接触部５６Ｅとによって構成されている。
【００４１】
基板固定部５６Ｂは、コネクタ１０が実装される基板１１の表面に沿うように延びており、半田付け等の手段で基板１１に固定（電気的に接続）される構成になっている。接触部５６Ｅは、左右方向から見て前方側かつ上方側へ凸をなすように湾曲している。この接触部５６Ｅは、ロック部材５８に対応している。
【００４２】
（ロック部材について）
図１〜図５、図８、図９、図１１〜図２５に示されるように、ロック部材５８は、左右方向を長手とする長尺な直方体状に形成されている。このロック部材５８は、例えば合成樹脂等の絶縁性材料によって製造されたものである。このロック部材５８は、ハウジング１４の後方凹部３０Ａに配置された本体部５８Ａと、本体部５８Ａの左右方向両端部から前方側へ延出され、ハウジング１４の左右の側方凹部３０Ｂに配置された左右一対の前延部５８Ｂと、本体部５８Ａの左右方向両端側から下方側へ延出され、ハウジング１４の左右の下方凹部３０Ｃに配置された左右一対の下延部５８Ｃと、左右の下延部５８Ｃから前方側へ突出した左右一対の突出部５８Ｄとを有している。
【００４３】
本体部５８Ａには、ハウジング１４に形成された複数の補強リブ３４が差し込まれる複数のスリット部６０が形成されている。また、左右の前延部５８Ｂの前端部には、左右方向外側へ突出した上側摺動部６２がそれぞれ形成されている。これらの上側摺動部６２の上部には、上方側かつ後方側を向いた第１摺動面６４が形成されている。また、左右の前延部５８Ｂの前端部の下端部には、下方側かつ後方側を向いた第２傾斜面４０が形成されている。第１摺動面６４及び第２摺動面６６は、後方側へ向かって下り勾配に傾斜している。これらの第１摺動面６４と第２摺動面６６とは、互いに反対側を向いて対をなしている。さらに、左右の前延部５８Ｂの前部の下面には、付勢部材５６が摺動（摺接）する付勢用摺動面６８が形成されている。付勢用摺動面６８は、下方側かつ後方側を向いており、前方側へ向かって下り勾配に傾斜している。
【００４４】
また、左右の突出部５８Ｄの上部は、本体部５８Ａの左右方向両端部に一体に繋がっており、左右の突出部５８Ｄの上面は、前方側へ向かって下り勾配に傾斜したＦＰＣ摺動面７０とされている。また、左右の突出部５８Ｄの先端部は、ＦＰＣ１２の左右の切欠き１３に差し込まれる係止凸部７２とされており、各係止凸部７２より下側で左右の突出部５８Ｄの下部（前面）は、ＦＰＣ１２を厚み方向の一側から押圧する押圧部（押圧面）７４とされている。
【００４５】
また、左右の下延部５８Ｃの下端部の前端部には、下方側かつ前方側を向いた第３摺動面７８が形成されている。さらに、左右の下延部５８Ｃの下端部には、左右方向中央側へ突出した左右一対の下側摺動部７６が形成されている。これらの下側摺動部７６の上部には、上方側かつ後方側を向いた第４摺動面８０が形成されている。第３摺動面７８及び第４摺動面８０は、後方側へ向かって下り勾配に傾斜している。第３摺動面７８と第４摺動面８０とは、互いに反対側を向いて対をなしている。つまり、このロック部材５８には、一対二組の摺動面（第１摺動面６４及び第２摺動面６６と、第３摺動面７８及び第４摺動面）が設けられている。
【００４６】
上記構成のロック部材５８は、ハウジング１４に対して後方側から取り付けられる。この取り付けの際には、ロック部材５８の上側摺動部６２がハウジング１４の上側ガイド面４６と摺動することで、ハウジング１４における上側ガイド面４６の周辺部が左右方向外側へ一時的に弾性変形した後に弾性復帰する。これにより、第１傾斜面３８が第１摺動面６４と接し、第２傾斜面４０が第２摺動面６６と接すると共に、ハウジング１４に形成された段部（符号省略）に上側摺動部６２が引っ掛かる。これにより、ロック部材５８の上部側がハウジング１４からの脱落を阻止される構成になっている。
【００４７】
また、上記取り付けの際には、ロック部材５８の下側摺動部７６がハウジング１４の下側ガイド面４８と摺動することで、ロック部材５８における下側摺動部７６の周辺部が左右方向外側へ一時的に弾性変形した後に弾性復帰する。これにより、第３傾斜面４２が第３摺動面７８と接し、第４傾斜面４４が第４摺動面８０と接すると共に、ハウジング１４に形成された段部（符号省略）に下側摺動部７６が引っ掛かる。これにより、ロック部材５８の下部側がハウジング１４からの脱落を阻止される構成になっている。
【００４８】
なお、前述した一対の付勢部材５６は、ロック部材５８がハウジング１４に取り付けられた後でハウジング１４に取り付けられる。この取り付けの際には、ハウジング１４の左右の付勢部材収容孔３６に対して左右の付勢部材５６が下方側から挿入される。それにより、各付勢部材５６のハウジング固定部５６Ａが各付勢部材収容孔３６に嵌合されると共に、各付勢部材５６の接触部５６Ｅがロック部材５８の左右の付勢用摺動面６８に押し当てられる構成になっている。
【００４９】
上記のようにしてハウジング１４に取り付けられたロック部材５８は、図１３Ａ、図１４Ａ、図１５Ａ、図１６Ａ、図１８Ａ、図１９Ａ、図２０Ａに示される非挿入位置（嵌合前位置）と、図１３Ｄ、図１４Ｄ、図１５Ｄ、図１６Ｄ、図１８Ｄ、図１９Ｄ、図２０Ｄに示されるアンロック位置との間でスライド可能にハウジング１４に支持されている。このロック部材５８は、上記の非挿入位置とアンロック位置との間でハウジング１４に対してスライドする際に、図１３Ｂ、図１４Ｂ、図１５Ｂ、図１６Ｂ、図１８Ｂ、図１９Ｂ、図２０Ｂに示される挿入途中位置（嵌合途中位置）と、図１３Ｃ、図１４Ｃ、図１５Ｃ、図１６Ｃ、図１８Ｃ、図１９Ｃ、図２０Ｃに示されるロック位置とを通過する。
【００５０】
図１３Ａ、図１４Ａ、図１５Ａ、図１６Ａ、図１８Ａ、図１９Ａ、図２０Ａに示される非挿入位置は、ハウジング１４の収容室１６にＦＰＣ１２が挿入されていない状態でロック部材５８が配置される位置である。図１３Ｂ、図１４Ｂ、図１５Ｂ、図１６Ｂ、図１８Ｂ、図１９Ｂ、図２０Ｂに示される挿入途中位置は、収容室１６にＦＰＣ１２が挿入される途中でロック部材５８がＦＰＣ１２との摺動により変位される位置である。この挿入途中位置にロック部材５８が位置する状態では、ＦＰＣ１２がロック部材５８の係止凸部７２の先端面に対して厚み方向Ｘの一側（ここでは前方側）から接触する。なお、本実施形態では、収容室１６に挿入されたＦＰＣ１２がロック部材５８の左右のＦＰＣ摺動面７０と接触するまで（左右のＦＰＣ摺動面７０に到達するまで）は、ロック部材５８が非挿入位置に配置される構成になっている。
【００５１】
図１３Ｃ、図１４Ｃ、図１５Ｃ、図１６Ｃ、図１８Ｃ、図１９Ｃ、図２０Ｃに示されるロック位置は、収容室１６へのＦＰＣ１２の挿入が完了した状態でロック部材５８が配置される位置である。このロック位置にロック部材５８が位置する状態では、ロック部材５８の係止凸部７２がＦＰＣ１２の切欠き１３に差し込まれることにより、収容室１６からのＦＰＣ１２の抜去が規制される構成になっている。つまり、このロック位置は、収容室１６に挿入されたＦＰＣ１２を係止した状態のロック部材５８が配置される位置である。また、図１３Ｄ、図１４Ｄ、図１５Ｄ、図１６Ｄ、図１８Ｄ、図１９Ｄ、図２０Ｄに示されるアンロック位置は、ロック部材５８の係止凸部７２がＦＰＣ１２の切欠き１３から抜け出す位置である。このアンロック位置にロック部材５８が位置する状態では、収容室１６からのＦＰＣ１２の抜去が許容される構成になっている。つまり、このアンロック位置は、ＦＰＣ１２の係止を解除する際にロック部材５８が配置される位置である。
【００５２】
上記の非挿入位置、ロック位置、挿入途中位置及びアンロック位置は、互いに異なる位置とされており、ロック部材５８は、上記の各位置に変位（スライド）可能とされている。ロック位置は、非挿入位置よりも若干アンロック位置側に設定されており、ロック部材５８は、ハウジング１４に対してロック位置よりも若干前方側（アンロック位置とは反対側）へも変位可能とされている。
【００５３】
このロック部材５８のハウジング１４に対する変位は、左右方向（端子配列方向Ｙ；直交方向）から見て前後方向（ＦＰＣ１２の厚み方向Ｘ）に対して傾斜する傾斜方向（図１３Ａの矢印Ｓ方向）に沿ったスライドとされている。具体的には、ハウジング１４の傾斜面３８、４０、４２、４４と、ロック部材５８の摺動面６４、６６、７８、８０とが摺動することで、ロック部材５８がハウジング１４に対して上記傾斜方向Ｓにスライドする構成になっている。この傾斜方向Ｓは、基板１１の平面に沿った方向に対して傾斜する方向であり、ロック部材５８は、上記のスライドによって、基板１１の平面に沿った方向及び基板１１の平面に垂直な方向に変位する。
【００５４】
また、非挿入位置から挿入途中位置へのロック部材５８の変位量Ｌ１（図１３Ｂ参照）は、非挿入位置からロック位置へのロック部材５８の変位量Ｌ２（図１３Ｃ参照）よりも大きく設定されている。詳細には、図１８Ｂ及び図１８Ｃに示される平面視においても、図１９Ｂ及び図１９Ｃに示される背面視においても、非挿入位置から挿入途中位置へのロック部材５８の変位量Ｌ１１、Ｌ１２（図１８Ｂ、図１９Ｂ参照）は、非挿入位置からロック位置へのロック部材５８の変位量Ｌ２１、Ｌ２２（図１８Ｃ、図１９Ｃ参照）よりも大きく設定されている。
【００５５】
さらに、本実施形態では、ロック部材５８が非挿入位置から挿入途中位置へ変位する方向（図１３Ｂの矢印Ｄ１参照）と、ロック部材５８が挿入途中位置からロック位置へ変位する方向（図１３Ｃの矢印Ｄ２参照）とが互いに異なっている。詳細には、図１８Ｂ及び図１８Ｃに示される平面視においても、図１９Ｂ及び図１９Ｃに示される背面視においても、ロック部材５８が非挿入位置から挿入途中位置へ変位する方向Ｄ１１、Ｄ１２（図１８Ｂ、図１９Ｂ参照）と、ロック部材５８が挿入途中位置からロック位置へ変位する方向Ｄ２１、Ｄ２２（図１８Ｃ、図１９Ｃ参照）とが異なっている。
【００５６】
また、図１２、図１４Ａ〜図１４Ｄに示されるように、ロック部材５８の左右の付勢用摺動面６８には、左右の付勢部材５６の接触部５６Ｅが押し当てられており、これらの付勢部材５６によってロック部材５８が非挿入位置へと付勢されている。このため、ハウジング１４の収容室１６にＦＰＣ１２が挿入されていない状態では、左右の付勢部材５６によってロック部材５８が非挿入位置に保持されている。その状態でＦＰＣ１２が収容室１６に挿入されると、ＦＰＣ１２の先端がロック部材５８の左右のＦＰＣ摺動面７０と摺動する。これにより、ロック部材５８に対して挿入途中位置側（アンロック位置側）へ向いた分力が作用し、ロック部材５８が挿入途中位置へとスライドされる。つまり、ロック部材５８は、ＦＰＣ１２の収容室１６への挿入途中でＦＰＣ１２と摺動することにより非挿入位置からアンロック位置側へスライドされる。この際には、図１４Ｂ〜図１４Ｄに示されるように、左右の付勢部材５６が弾性変形することにより、アンロック位置へのロック部材５８のスライドが許容される構成になっている。
【００５７】
そして、収容室１６へのＦＰＣ１２の挿入が完了すると、ロック部材５８の左右の係止凸部７２がＦＰＣ１２の左右の切欠き１３に差し込まれる。これにより、左右の付勢部材５６が弾性復帰し、ロック部材５８が左右の付勢部材５６の付勢力（弾性復帰力）によってロック位置へとスライドされる。つまり、左右の付勢部材５６は、ロック部材５８が非挿入位置から挿入途中位置へとスライドする際に弾性変形し、ロック部材５８が挿入途中位置からロック位置へと変位する際に弾性復帰する構成になっている。
【００５８】
ロック位置に位置するロック部材５８は、左右の付勢部材５６によって非挿入位置側へ付勢される。これにより、収容室１６に挿入されたＦＰＣ１２が、ロック部材５８の左右の押圧部７４によって厚み方向Ｘの一側（後方側）から押圧され、ハウジング１４の左右の受圧部５２に押し当てられる構成になっている。つまり、ロック部材５８の左右の押圧部７４は、左右の付勢部材５６の付勢力によってＦＰＣ１２を厚み方向Ｘの一側から押圧し、ハウジング１４の左右の受圧部５２とロック部材５８の左右の押圧部７４との間にＦＰＣ１２が挟まれる（挟持される）構成になっている。
【００５９】
また、本実施形態では、ロック部材５８がロック位置からアンロック位置へとスライドする方向は、左右方向（端子配列方向Ｙ；直交方向）から見て前後方向（厚み方向Ｘ）に対してＦＰＣ１２の挿入方向側（下方側）に傾斜した方向とされている。そして、このロック部材５８がロック位置からアンロック位置へとスライドされる際には、ロック部材５８が下方側へ押圧操作される構成になっている（図１３Ｄの矢印Ｐ参照）。このロック部材５８は、挿入方向側へ向けて押圧されることにより、ロック位置からアンロック位置へとスライドする構成になっている（図１３Ｄの矢印Ｓ１参照）。
【００６０】
また、本実施形態では、ロック部材５８がロック位置に位置する状態でＦＰＣ１２に対して抜去方向（上方）を向く力Ｒ（図１７Ａ及び図１７Ｂ参照）が加わると、ＦＰＣ１２の左右の切欠き１３の下縁部がロック部材５８の左右の係止凸部７２に対して下方側から当接する。これにより、ロック部材５８がハウジング１４に対して抜去方向へ変位しようとするが、このロック部材５８のハウジング１４に対する変位は、前述の傾斜方向Ｓに沿ったスライドに限られている。このため、ロック部材５８には、アンロック位置とは反対向きの力（非挿入位置側を向いた力）Ｓ２が加わる構成になっている。そして、このようにロック部材５８に対してアンロック位置とは反対向きの力Ｓ２が加わることにより、ロック部材５８の左右の押圧部７４によるＦＰＣ１２の押圧力が増加する構成になっている。
【００６１】
また、本実施形態では、図１８Ａ〜図１８Ｄに示されるように、コネクタ１０の左右方向両端部には、ハウジング１４に対するロック部材５８の位置の違いを表示する左右一対の表示部８４（図１８Ａ〜図１８Ｄ以外では符号省略）が設けられている。なお、図１８Ｂ〜図１８Ｄでは、ＦＰＣ１２の図示を省略している。左右の表示部８４は、ハウジング１４の左右方向両端部と、ロック部材５８の左右方向両端部とによって構成されており、ハウジング１４に対するロック部材５８の位置の違いを確認し易い部位とされている。このため、例えば画像検査装置を用いて左右の表示部８４のうちの少なくとも一方を観察することにより、ハウジング１４に対するロック部材５８の位置の違いを正確に確認可能とされている。
【００６２】
また、左右の表示部８４は、収容室１６に挿入されたＦＰＣ１２に対して幅方向（左右方向）の外方側に配置される構成になっている。このため、例えば図２１及び図２２に示されるように、収容室１６に挿入されたＦＰＣ１２がハウジング１４の一部を覆うように配置される場合でも、左右の表示部８４を確認可能とされている。
【００６３】
さらに、本実施形態では、ハウジング１４は、収容室１６に挿入されたＦＰＣ１２の厚み方向Ｘの一側（ここでは前方側）からロック部材５８に対して対向する後壁２０（対向壁）を有している。そして、ロック部材５８が非挿入位置に位置する状態（図１９Ａ及び図２０Ａ参照）と、ロック部材５８がロック位置に位置する状態（図１９Ｂ及び図２０Ｂ参照）と、ロック部材５８が挿入途中位置に位置する状態（図１９Ｃ及び図２０Ｃ参照）と、ロック部材５８のアンロック位置に位置する状態（図１９Ｄ及び図２０Ｄ参照）とでは、ＦＰＣ１２の厚み方向Ｘの他側（ここでは後方側）から見た場合の後壁２０の露出量が互いに異なるように構成されている。このため、例えば画像検査装置を用いて後壁２０の上記露出量を観察することにより、ハウジング１４に対するロック部材５８の位置の違いを確認可能とされている。
【００６４】
（作用及び効果）
次に、本実施形態の作用及び効果について説明する。
【００６５】
上記構成のコネクタ１０では、ＦＰＣ１２を挿抜可能な収容室１６を有するハウジング１４に、ロック部材５８が支持されている。このロック部材５８は、収容室１６に挿入されたＦＰＣ１２を係止した状態で配置されるロック位置と、当該係止を解除する際に配置されるアンロック位置と、ＦＰＣ１２が収容室１６に挿入されていない状態で配置される非挿入位置とに変位可能とされており、付勢部材５６によって非挿入位置へと付勢されている。
【００６６】
このコネクタ１０では、上記の非挿入位置とロック位置とが異なっている。つまり、ＦＰＣ１２が収容室１６に挿入されていない状態（図１８Ａ、図１９Ａ、図２０Ａ参照）と、収容室１６に挿入されたＦＰＣ１２がロック部材５８に係止された状態（図１８Ｃ、図１９Ｃ、図２０Ｃ参照）とで、ハウジング１４に対するロック部材５８の位置が異なっている。このため、ロック部材５８がロック位置に位置するか否かを検出（確認）することで、ロック部５８材に対するＦＰＣ１２の係止が完了したか否かを適確に検出することができる。
【００６７】
また、このコネクタ１０では、ロック部材５８は、ＦＰＣ１２の収容室１６への挿入途中でＦＰＣ１２と摺動することにより非挿入位置からアンロック位置側へ変位されると共に、ＦＰＣ１２の収容室１６への挿入が完了した際に付勢部材５６によりロック位置へと変位される。このため、特殊な操作を必要とすることなく、ＦＰＣ１２をハウジング１４の収容室１６に挿入するだけで、ＦＰＣ１２がロック部材５８と摺動し、ロック部材５８が非挿入位置からアンロック位置側へ変位される。そして、ＦＰＣ１２の収容室１６への挿入が完了すると、ロック部材５８が付勢部材５６によりロック位置へと変位される。このロック位置へのロック部材５８の変位を確認することで、ロック部材５８に対するＦＰＣ１２の係止が完了したことを適確に検出することができる。
【００６８】
さらに、このコネクタ１０では、上記のようにＦＰＣ１２がハウジング１４の収容室１６に挿入される際には、ＦＰＣ１２がロック部材５８と摺動し、ロック部材５８が非挿入位置から挿入途中位置へと変位される。この挿入途中位置は、ロック位置及びアンロック位置とは異なっている。つまり、上記の非挿入位置、挿入途中位置、ロック位置及びアンロック位置は、何れも異なる位置であるため、ハウジング１４に対するロック部材５８の位置を観察することで、ＦＰＣ１２がどのような状態にあるのかを適確に把握することができる。しかも、ロック部材５８が挿入途中位置に位置することを検出することにより、ＦＰＣ１２の係止が未完了の状態であることを把握することができる。
【００６９】
また、このコネクタ１０では、非挿入位置から挿入途中位置へのロック部材５８の変位量Ｌ１（図１３Ｂ参照）は、非挿入位置からロック位置へのロック部材５８の変位量Ｌ２（図１３Ｃ参照）よりも大きく設定されている。このように構成されているので、ロック部材５８が挿入途中位置に変位している状態（すなわちロック部材５８に対するＦＰＣ１２の係止が未完了の状態）を確認し易くなる。その結果、ロック部材５８がロック位置に変位した状態（すなわちロック部材５８に対するＦＰＣ１２の係止が完了した状態）と、上記の係止未完了状態とを誤認し難くなる。つまり、上記の係止未完了状態と係止完了状態とでは、何れもＦＰＣ１２が収容室１６にある程度挿入されているため、これらの状態を誤認し易いが、上記のようにロック部材５８の挿入途中位置への変位量Ｌ２が大きく設定されることにより、上記各状態を識別し易くなる。
【００７０】
また、このコネクタ１０では、ロック部材５８が非挿入位置から挿入途中位置へ変位する方向（図１３Ｂの矢印Ｄ１参照）と、ロック部材５８が挿入途中位置からロック位置へ変位する方向（図１３Ｃの矢印Ｄ２参照）とが異なっている。このため、このコネクタ１０では、ハウジング１４に対するロック部材５８の位置だけでなく、ハウジング１４に対するロック部材５８の変位方向を確認することによっても、ＦＰＣ１２がどのような状態にあるのかを把握することができるので、ロック部材５８に対するＦＰＣ１２の係止が完了したか否かの検出が一層容易になる。
【００７１】
また、このコネクタ１０によれば、ロック部材５８が非挿入位置から挿入途中位置へと変位する際に弾性変形する付勢部材５６は、ロック部材５８が挿入途中位置からロック位置へと変位する際に弾性復帰する。この弾性復帰によりクリック感が生じるので、当該クリック感によってもＦＰＣ１２の係止完了を確認（検出）することができる。その結果、係止完了の検出がより一層容易になる。
【００７２】
さらに、このコネクタ１０では、収容室１６に挿入されたＦＰＣ１２に対する幅方向の外方側に、ハウジング１４に対するロック部材５８の位置の違いを表示する表示部８４が設けられている。このため、ハウジング１４の収容室１６に挿入されたＦＰＣ１２がハウジング１４の一部を覆うように配置される場合（図２１及び図２２参照）でも、当該ＦＰＣ１２に対する幅方向の外方側に設けられた表示部８４に、ハウジング１４に対するロック部材５８の位置の違いが表示されるので、ロック部材５８の位置の確認が容易になる。
【００７３】
また、このコネクタ１０によれば、ロック部材５８は、基板１１上に載置されるハウジング１４に対して、少なくとも基板１１の平面に沿った方向（基板１１の厚み方向と交差する方向）に変位する。これにより、ロック部材５８の変位を基板１１の厚み方向から確認し易くなる。つまり、例えばロック部材５８が基板１１の厚み方向のみに変位する構成において、ロック部材５８の変位を基板１１の厚み方向から確認する場合、深視力が必要となるため、ロック部材５８の変位の確認が困難になるが、本実施形態では上記のような深視力がなくてもロック部材５８の変位（位置）を確認することができる。
【００７４】
また、仮にロック部材が基板の厚み方向に変位する構成の平型導体用コネクタにおいて、ロック部材に対する平型導体の係止状態を確実に確認しようとすると、当該平型導体用コネクタの周囲には当該平型導体用コネクタよりも背の高い電子部品を配置することができなくなるおそれがある。なぜなら、平型導体用コネクタの周囲に背の高い電子部品を配置してしまうと、その電子部品により視野が狭められてしまうため、ロック部材の変位を確認し難くなるからである。この点、本実施形態によれば、ロック部材５８は少なくとも基板１１の平面に沿った方向に向けて変位するため、上記の係止状態を容易に確認することができる。
【００７５】
また、このコネクタ１０では、ハウジング１４は、収容室１６に挿入されたＦＰＣ１２の厚み方向Ｘの一側（ここでは前方側）からロック部材５８に対して対向する後壁２０を有している。そして、ロック部材５８が非挿入位置に位置する状態（図１９Ａ及び図２０Ａ参照）と、ロック部材５８がロック位置に位置する状態（図１９Ｃ及び図２０Ｃ参照）とでは、ＦＰＣ１２の厚み方向Ｘの他側（ここでは後方側）から見た場合の後壁２０の露出量が異なる構成とされている。このため、後壁２０の露出量をＦＰＣ１２の厚み方向Ｘの他側から確認することによっても、ハウジング１４に対するロック部材５８の位置を確認することができるので、ロック部材５８に対するＦＰＣ１２の係止状態を検査する際の自由度が向上する。
【００７６】
しかも、収容室の周壁のうちＦＰＣ１２に対して厚み方向Ｘ（前後方向）に対向する部分を構成している後壁２０は、ＦＰＣ１２の幅方向（端子配列方向Ｙ；左右方向）に一定の幅寸法を有している。そのため、後壁２０の上記露出量の変化、すなわちハウジング１４に対するロック部材５８の変位を確認することが容易である。
【００７７】
なお、上記実施形態に係るコネクタ１０では、図２３〜図２５に示されるように、アンロック位置側へ変位したロック部材５８の本体部５８Ａと、収容室１６の後壁２０との間に隙間８６が形成される。このため、ＦＰＣ１２を収容室１６に挿入しようとする作業者や装置が、上記の隙間８６に誤ってＦＰＣ１２を差し込んでしまう可能性がある。これを防止するためには、例えば、本体部５８Ａの前面及び後壁２０の後面に凸部及び凹部を形成し、それらの凸部及び凹部を噛み合わせることにより、上記の隙間８６を平面視でジグザグ状に形成し、ＦＰＣ１２を差し込めないようにしてもよい。その場合、例えば、ハウジング１４の補強リブ３４を後壁２０の上端付近まで延長して上記の凸部としてもよい。
【００７８】
また、上記実施形態では、複数の端子５４が基板１１に固定（例えば半田付け）されてコネクタ１０が基板１１に実装された状態で、コネクタ１０の上下方向（挿抜方向Ｚ）と基板の厚み方向とが一致する構成にしたが、これに限らず、図２６及び図２７に示される平型導体用コネクタ１０’（変形例）のように構成してもよい。この平型導体用コネクタ１０’では、ハウジング１４の左右の側面に取り付けられた固定金具８２が半田付け等の手段で基板１１に固定されることで基板１１に実装される。この実装状態では、平型導体用コネクタ１０’の前後方向（ＦＰＣ１２の厚み方向Ｘ）と基板１１の厚み方向とが一致する構成とされている。この平型導体用コネクタ１０’においても、ロック部材５８は、少なくとも基板１１の平面に沿った方向に変位する構成になっている。
【００７９】
また、上記実施形態では、ロック部材５８がロック位置からアンロック位置へとスライドする方向が、直交方向Ｙ（左右方向）から見て厚み方向Ｘ（前後方向）に対してＦＰＣ１２の挿入方向側（下方側）に傾斜した構成にしたが、これに限るものではない。すなわち、ロック部材５８がロック位置からアンロック位置へとスライドする方向が、直交方向Ｙ（左右方向）から見て厚み方向Ｘ（前後方向）に対してＦＰＣ１２の抜去方向側（上方側）に傾斜した構成にしてもよい。その場合、ロック部材５８の係止凸部７２及び押圧部７４が、ＦＰＣ１２に対して厚み方向Ｘの他側（前方側）に配置される構成になる。またその場合、ロック部材５８が抜去方向側（上方側）へ引き出される（引っ張られる）ことで、ロック部材５８がロック位置からアンロック位置へのスライドされる構成になる。
【００８０】
また、上記実施形態では、ＦＰＣ１２が平型導体とされた場合について説明したが、平型導体は、ＦＦＣ（Flexible Flat Cable）や、プリント基板であってもよい。
【００８１】
また、上記実施形態では、ロック部材５８がハウジング１４に対してスライド可能に支持された構成にしたが、これに限らず、ロック部材がハウジングに対して回転可能に支持された構成にしてもよい。
【００８２】
その他、本発明は、その要旨を逸脱しない範囲で種々変更して実施できる。また、本発明の権利範囲が上記実施形態に限定されないことは勿論である。
【符号の説明】
【００８３】
１０      平型導体用コネクタ
１１      基板
１２      ＦＰＣ（平型導体）
１３      切欠き（係止口）
１４      ハウジング
１６      収容室
２０      後壁
５６      付勢部材（付勢部）
５８      ロック部材
８４      表示部
【図１】
2020161453.tif 000003
【図２】
2020161453.tif 000004
【図３】
2020161453.tif 000005
【図４】
2020161453.tif 000006
【図５】
2020161453.tif 000007
【図６】
2020161453.tif 000008
【図７】
2020161453.tif 000009
【図８】
2020161453.tif 000010
【図９】
2020161453.tif 000011
【図１０】
2020161453.tif 000012
【図１１】
2020161453.tif 000013
【図１２】
2020161453.tif 000014
【図１３Ａ】
2020161453.tif 000015
【図１３Ｂ】
2020161453.tif 000016
【図１３Ｃ】
2020161453.tif 000017
【図１３Ｄ】
2020161453.tif 000018
【図１４Ａ】
2020161453.tif 000019
【図１４Ｂ】
2020161453.tif 000020
【図１４Ｃ】
2020161453.tif 000021
【図１４Ｄ】
2020161453.tif 000022
【図１５Ａ】
2020161453.tif 000023
【図１５Ｂ】
2020161453.tif 000024
【図１５Ｃ】
2020161453.tif 000025
【図１５Ｄ】
2020161453.tif 000026
【図１６Ａ】
2020161453.tif 000027
【図１６Ｂ】
2020161453.tif 000028
【図１６Ｃ】
2020161453.tif 000029
【図１６Ｄ】
2020161453.tif 000030
【図１７Ａ】
2020161453.tif 000031
【図１７Ｂ】
2020161453.tif 000032
【図１８Ａ】
2020161453.tif 000033
【図１８Ｂ】
2020161453.tif 000034
【図１８Ｃ】
2020161453.tif 000035
【図１８Ｄ】
2020161453.tif 000036
【図１９Ａ】
2020161453.tif 000037
【図１９Ｂ】
2020161453.tif 000038
【図１９Ｃ】
2020161453.tif 000039
【図１９Ｄ】
2020161453.tif 000040
【図２０Ａ】
2020161453.tif 000041
【図２０Ｂ】
2020161453.tif 000042
【図２０Ｃ】
2020161453.tif 000043
【図２０Ｄ】
2020161453.tif 000044
【図２１】
2020161453.tif 000045
【図２２】
2020161453.tif 000046
【図２３】
2020161453.tif 000047
【図２４】
2020161453.tif 000048
【図２５】
2020161453.tif 000049
【図２６】
2020161453.tif 000050
【図２７】
2020161453.tif 000051